(57)【要約】【課題】ＣＡＤデータを設計者以外の取引先、建築現場や工場等であっても共有して確認することが可能なＣＡＤデータ共有システムの提供。【解決手段】ＣＡＤデータを物件ごとに保管するサーバ１と、ＣＡＤデータを作成する第１のコンピュータ２であり、サーバ１へ物件ごとのＣＡＤデータをアップロードするアップロード手段２２を有する第１のコンピュータ２とを含み、サーバ１は、アップロード手段２２によりアップロードされた物件ごとのＣＡＤデータの保管場所を第１のコンピュータ２へ通知する保管場所通知手段１１を有し、さらに、ＣＡＤデータを参照する第２のコンピュータ３であり、ＣＡＤデータの保管場所を指定してサーバ１からＣＡＤデータをダウンロードするダウンロード手段３０と、ダウンロードしたＣＡＤデータから伏図またはパース図を作成して表示する図表示手段３２とを有する第２のコンピュータ３を含む。【選択図】図２
2020003901.tif 000002
【特許請求の範囲】
【請求項１】
ＣＡＤデータを物件ごとに保管するサーバと、
ＣＡＤデータを作成する第１のコンピュータを、前記サーバへ物件ごとのＣＡＤデータをアップロードするアップロード手段として機能させるための第１のプログラムと
を含み、
前記サーバは、前記アップロード手段によりアップロードされた物件ごとのＣＡＤデータの保管場所を前記第１のコンピュータへ通知する保管場所通知手段を有し、
さらに、ＣＡＤデータを参照する第２のコンピュータにダウンロードされる第２のプログラムであり、ＣＡＤデータの保管場所を指定して前記サーバからＣＡＤデータをダウンロードするダウンロード手段と、ダウンロードしたＣＡＤデータから伏図またはパース図を作成して表示する図表示手段として前記第２のコンピュータを機能させるための第２のプログラムを含む
ＣＡＤデータ共有システム。
【請求項２】
ＣＡＤデータを物件ごとに保管するサーバと、
ＣＡＤデータを作成する第１のコンピュータであり、前記サーバへ物件ごとのＣＡＤデータをアップロードするアップロード手段を有する第１のコンピュータと
を含み、
前記サーバは、前記アップロード手段によりアップロードされた物件ごとのＣＡＤデータの保管場所を前記第１のコンピュータへ通知する保管場所通知手段を有し、
さらに、ＣＡＤデータを参照する第２のコンピュータであり、ＣＡＤデータの保管場所を指定して前記サーバからＣＡＤデータをダウンロードするダウンロード手段と、ダウンロードしたＣＡＤデータから伏図またはパース図を作成して表示する図表示手段とを有する第２のコンピュータを含む
ＣＡＤデータ共有システム。
【請求項３】
前記アップロード手段は、物件ごとにパスワードおよび有効期限を指定してアップロードするものであり、
前記サーバは、物件ごとのＣＡＤデータを指定されたパスワードおよび有効期限とともに管理するものであり、
前記ダウンロード手段は、ＣＡＤデータの保管場所およびパスワードを指定してＣＡＤデータをダウンロードするものであり、
前記サーバは、前記ダウンロード手段からのダウンロード要求に対して有効期限内に限り、ＣＡＤデータを提供するものである
請求項１または２に記載のＣＡＤデータ共有システム。
【請求項４】
前記図表示手段は、前記伏図上で指定された範囲の部分パース図を表示する機能を有する請求項１から３のいずれか１項に記載のＣＡＤデータ共有システム。
【請求項５】
前記図表示手段は、前記伏図を土台、各階床、各階小屋または各階母屋に分けて表示する機能を有する請求項１から４のいずれか１項に記載のＣＡＤデータ共有システム。
【発明の詳細な説明】
【技術分野】
【０００１】
本発明は、ＣＡＤデータを設計者の他、取引先、建築現場や工場等で共有して確認することが可能なＣＡＤデータ共有システムに関する。
【背景技術】
【０００２】
従来、ＣＡＤシステムは単独のコンピュータにおいてスタンドアロン環境で動作するものが多いが、ネットワークにより他のコンピュータと接続されたネットワーク環境で動作するものが増えている。例えば、特許文献１には、ネットワークを介して複数のコンピュータが接続されたシステムにおいて、各コンピュータに、利用者により操作されるＣＡＤシステムと、このＣＡＤシステムにネットワークを介して接続され、ＣＡＤシステムの非稼働時にあっても動作が可能で、図面データの読み込み、掻き出し、削除、一覧表示等のサービスを行うサーバ部と、図面データに関する情報を管理するネットワーク図面管理ファイルとを備えたことを特徴とするネットワーク環境型ＣＡＤシステムが開示されている。
【先行技術文献】
【特許文献】
【０００３】
【特許文献１】特開平５−１５１２８５号公報
【発明の概要】
【発明が解決しようとする課題】
【０００４】
上記従来のネットワーク環境型ＣＡＤシステムでは、ＣＡＤシステムが組み込まれたコンピュータ同士ではデータを共有することができるものの、ＣＡＤシステムを導入していないコンピュータではデータを閲覧することもできない。すなわち、従来のＣＡＤシステムでは、ＣＡＤシステムを導入している設計者以外はＣＡＤシステム内のデータを閲覧することができない。
【０００５】
そこで、本発明においては、ＣＡＤデータを設計者以外の取引先、建築現場や工場等であっても共有して確認することが可能なＣＡＤデータ共有システムを提供することを目的とする。
【課題を解決するための手段】
【０００６】
本発明のＣＡＤデータ共有システムは、ＣＡＤデータを物件ごとに保管するサーバと、ＣＡＤデータを作成する第１のコンピュータを、サーバへ物件ごとのＣＡＤデータをアップロードするアップロード手段として機能させるための第１のプログラムとを含み、サーバは、アップロード手段によりアップロードされた物件ごとのＣＡＤデータの保管場所を第１のコンピュータへ通知する保管場所通知手段を有し、さらに、ＣＡＤデータを参照する第２のコンピュータにダウンロードされる第２のプログラムであり、ＣＡＤデータの保管場所を指定してサーバからＣＡＤデータをダウンロードするダウンロード手段と、ダウンロードしたＣＡＤデータから伏図またはパース図を作成して表示する図表示手段として第２のコンピュータを機能させるための第２のプログラムを含むものである。
【０００７】
本発明のＣＡＤデータ共有システムによれば、ＣＡＤデータを作成する第１のコンピュータからサーバへ物件ごとのＣＡＤデータをアップロードすると、サーバからこのアプロードされた物件ごとのＣＡＤデータの保管場所が第１のコンピュータへ通知される。一方、ＣＡＤデータを参照する第２のコンピュータに第２のプログラムをダウンロードし、実行することにより、第１のコンピュータへ通知されたＣＡＤデータの保管場所を指定することで第２のコンピュータへＣＡＤデータがダウンロードされ、このダウンロードしたＣＡＤデータから伏図またはパース図が作成され、表示される。
【０００８】
また、本発明のＣＡＤデータ共有システムは、ＣＡＤデータを物件ごとに保管するサーバと、ＣＡＤデータを作成する第１のコンピュータであり、サーバへ物件ごとのＣＡＤデータをアップロードするアップロード手段を有する第１のコンピュータとを含み、サーバは、アップロード手段によりアップロードされた物件ごとのＣＡＤデータの保管場所を第１のコンピュータへ通知する保管場所通知手段を有し、さらに、ＣＡＤデータを参照する第２のコンピュータであり、ＣＡＤデータの保管場所を指定してサーバからＣＡＤデータをダウンロードするダウンロード手段と、ダウンロードしたＣＡＤデータから伏図またはパース図を作成して表示する図表示手段とを有する第２のコンピュータを含むものである。
【０００９】
本発明のＣＡＤデータ共有システムによれば、ＣＡＤデータを作成する第１のコンピュータからサーバへ物件ごとのＣＡＤデータをアップロードすると、サーバからこのアプロードされた物件ごとのＣＡＤデータの保管場所が第１のコンピュータへ通知される。一方、ＣＡＤデータを参照する第２のコンピュータにおいては、第１のコンピュータへ通知されたＣＡＤデータの保管場所を指定することで第２のコンピュータへＣＡＤデータがダウンロードされ、このダウンロードしたＣＡＤデータから伏図またはパース図が作成され、表示される。
【００１０】
ここで、アップロード手段は、物件ごとにパスワードおよび有効期限を指定してアップロードするものであり、サーバは、物件ごとのＣＡＤデータを指定されたパスワードおよび有効期限とともに管理するものであり、ダウンロード手段は、ＣＡＤデータの保管場所およびパスワードを指定してＣＡＤデータをダウンロードするものであり、サーバは、ダウンロード手段からのダウンロード要求に対して有効期限内に限り、ＣＡＤデータを提供するものであることが望ましい。これにより、ＣＡＤデータを物件ごとにパスワードおよび有効期限を指定してアップロードすることで、パスワードによりＣＡＤデータを保護するとともに有効期限内のみデータをダウンロード可能にすることが可能となる。
【００１１】
また、表示手段は、伏図上で指定された範囲の部分パース図を表示する機能を有することが望ましい。これにより、全体のパース図で分かりにくい部分については伏図上で範囲指定することで、この指定した範囲の部分パース図が表示される。
【００１２】
また、図表示手段は、伏図を土台、各階床、各階小屋または各階母屋に分けて表示する機能を有することが望ましい。これにより、土台、各階床（２階床、３階床等）、各階小屋（１階小屋、２階小屋、３階小屋等）または各階母屋（１階母屋、２階母屋、３階母屋等）ごとに伏図を表示して確認することができる。
【発明の効果】
【００１３】
本発明のＣＡＤデータ共有システムによれば、ＣＡＤデータを設計者以外の取引先、建築現場や工場等において共有して、伏図またはパース図により容易に確認することが可能となる。これにより、取引先においては、物件確認作業がしやすく、打合せを円滑に進めることが可能となる。また、建築現場や工場等においては、紙ベースの図面では確認しづらい納まりも、ＣＡＤデータに基づく伏図またはパース図により確認しながら作業ができるので、作業性が向上する。
【図面の簡単な説明】
【００１４】
【図１】本発明の実施の形態におけるＣＡＤデータ共有システムの全体構成図である。
【図２】図１のＣＡＤデータ共有システムのブロック図である。
【図３】物件管理画面の例を示す図である。
【図４】物件データアップロード画面の例を示す図である。
【図５】物件データアップロード完了画面の例を示す図である。
【図６】電子メール送信画面の例を示す図である。
【図７】物件選択画面の例を示す図である。
【図８】物件データダウンロード画面の例を示す図である。
【図９】伏図表示画面の例を示す図である。
【図１０】伏図をレイヤ分けして表示する例を示す説明図である。
【図１１】パース図の精細度指定画面の例を示す図である。
【図１２】パース図表示画面に全体パース図を表示した例を示す図である。
【図１３】指定範囲パース設定画面の例を示す図である。
【図１４】パース図表示画面に部分パース図を表示した例を示す図である。
【図１５】リアル加工パース表示の例を示す図である。
【図１６】リアル加工パース表示の例を示す図である。
【発明を実施するための形態】
【００１５】
図１は本発明の実施の形態におけるＣＡＤデータ共有システムの全体構成図、図２は図１のＣＡＤデータ共有システムのブロック図である。
【００１６】
図１に示すように、本発明の実施の形態におけるＣＡＤデータ共有システムは、ＣＡＤデータを物件ごとに保管するサーバ１と、ＣＡＤデータを作成するための設計者が使用する第１のコンピュータ２と、ＣＡＤデータを参照するための設計者以外の取引先、建築現場や工場等の者（以下、「部外者」と称す。）が使用する第２のコンピュータ３とから構成される。
【００１７】
コンピュータ２は、第１のプログラムとしてのＣＡＤソフトウェアを実行することにより、ＣＡＤデータを作成するデータ作成手段２０と、物件ごとにＣＡＤデータを記憶する記憶手段２１と、サーバ１へ物件ごとのＣＡＤデータをアップロードするアップロード手段２２として機能する。
【００１８】
サーバ１は、コンピュータ２からアップロード手段２２によりアップロードされたＣＡＤデータを物件ごとに保管する記憶手段１０と、アップロード手段２２によりアップロードされた物件ごとのＣＡＤデータの記憶手段１０における保管場所をコンピュータ２へ通知する保管場所通知手段１１と、コンピュータ３からの要求により記憶手段１０からＣＡＤデータを提供するデータ提供手段１２とを有する。
【００１９】
コンピュータ３は、第２のプログラムとしてビューワーソフトウェアを実行することにより、ＣＡＤデータの保管場所を指定してサーバ１からＣＡＤデータをダウンロードするダウンロード手段３０と、ダウンロードしたＣＡＤデータを記憶する記憶手段３１と、ダウンロードしたＣＡＤデータから伏図またはパース図を作成して表示する図表示手段３２として機能する。ビューワーソフトウェアは、例えば、サーバ１の記憶手段１０に記憶されたものを、第２のコンピュータ３にダウンロードする。
【００２０】
次に、本実施形態におけるＣＡＤデータ共有システムの動作について、図３〜図１６を例に説明する。なお、以下の例では、便宜上、設計者を「プレカット工場Ａ社」、設計者以外の部外者を「工務店Ｂ社」として説明する。
【００２１】
プレカット工場Ａ社は、ＣＡＤソフトウェアを実行するコンピュータ２により作成したＣＡＤデータをアップロード手段２２によりサーバ１へアップロードする。図３はコンピュータ２に表示される物件管理画面の例を示す図である。図３に示すように物件管理画面４０には、記憶手段２１に物件ごとに記憶されたＣＡＤデータの一覧４１が表示されている。この物件管理画面４０からサーバ１へアップロードする物件を選択し、物件データアプロードボタン４２をクリックすると、アップロード手段２２により図４に示す物件データアップロード画面５０がコンピュータ２に表示される。
【００２２】
物件データアップロード画面５０には、選択した物件の物件番号５１および工事名称５２が表示され、パスワードおよび有効期限をそれぞれ入力する入力欄５３，５５が設けられている。入力欄５３，５５にそれぞれパスワードおよび有効期限を入力し、アップロードボタン５６をクリックすると、アップロード手段２２は、物件ごとにパスワードおよび有効期限を指定してサーバ１へＣＡＤデータをアップロードする。なお、パスワードは、自動生成ボタン５４をクリックすることにより自動生成することも可能となっている。
【００２３】
サーバ１は、コンピュータ２からアップロード手段２２によりアップロードされたＣＡＤデータを物件ごとに記憶手段１０に保管するとともに、このアップロード手段２２によりアップロードされたＣＡＤデータの記憶手段１０における保管場所を保管場所通知手段１１によりコンピュータ２へ通知する。なお、サーバ１は、記憶手段１０に保管した物件ごとのＣＡＤデータを、指定されたパスワードおよび有効期限とともに管理し、有効期限を経過したＣＡＤデータについては削除する。
【００２４】
図５はコンピュータ２に表示される物件データアップロード完了画面の例を示す図である。図５に示すように物件データアップロード完了画面６０には、保管場所通知手段１１により通知されたＣＡＤデータの保管場所としてのＵＲＬ６１と、パスワード６２と、有効期限６３とが表示される。ここで、コピーボタン６４をクリックすると、コンピュータ２のクリップボードにＵＲＬ６１、パスワード６２および有効期限６３を含むデータが記憶される。
【００２５】
プレカット工場Ａ社は、このＵＲＬ６１、パスワード６２および有効期限６３を工務店Ｂ社に連絡する。図６はコンピュータ２に表示される電子メール送信画面の例を示している。例えば、プレカット工場Ａ社は、図６に示すように電子メール送信画面７０において宛先（工務店Ｂ社）７１を指定し、前述のようにクリップボードに記憶されたＵＲＬ６１、パスワード６２および有効期限６３を含むデータ７２を貼り付け、送信ボタン７３をクリックすることにより連絡する。
【００２６】
工務店Ｂ社では、コンピュータ３にビューワーソフトウェアをダウンロードし、実行する。図７はコンピュータ３に表示される物件選択画面の例を示している。図７に示すように、物件選択画面８０のダウンロードボタン８１をクリックすると、ダウンロード手段３０により図８に示す物件データダウンロード画面８２がコンピュータ３に表示される。ここで、プレカット工場Ａ社からの受信メール７５からＵＲＬ６１およびパスワード６２をそれぞれコピーして、物件データダウンロード画面８２のＣＡＤデータ保管場所指定欄８３およびパスワード指定欄８４に貼り付け、ダウンロードボタン８５をクリックすると、ダウンロード手段３０は、ＣＡＤデータの保管場所（ＵＲＬ６１）およびパスワード（パスワード６２）を指定してサーバ１にＣＡＤデータのダウンロード要求を行う。
【００２７】
サーバ１のデータ提供手段１２は、このダウンロード手段３０からのダウンロード要求に対してＵＲＬ６１により指定されたＣＡＤデータのパスワード６２によるパスワード認証を行い、そのＣＡＤデータの有効期限内に限り、記憶手段１０からコンピュータ３へＣＡＤデータを提供する。ダウンロード手段３０は、この提供されたＣＡＤデータをダウンロードし、記憶手段３１へ記憶する。
【００２８】
コンピュータ３はダウンロード手段３０によるダウンロードが完了すると、図表示手段３２により伏図またはパース図を作成して表示する。図９は図表示手段３２によりコンピュータ３に表示される伏図表示画面の例を示している。図９に示す伏図表示画面９０には、ＣＡＤデータに基づく伏図９１が表示される。また、伏図表示画面９０では、土台ボタン９２、２階床ボタン９３、１階母屋ボタン９４、２階小屋ボタン９５または２階母屋ボタン９６をクリックすることで、図１０に示すように、伏図を土台、２階床、１階母屋、２階小屋または２階母屋にそれぞれレイヤ分けして表示することが可能となっている。
【００２９】
また、伏図表示画面９０においてパースボタン９７をクリックすると、図１１に示すようにパース図の精細度を指定する精細度指定画面９７Ａが表示される。この精細度指定画面９７Ａから簡易モード、標準モード、ファインモードまたはスーパーファインモードを選択し、描画ボタン９７Ｂをクリックすると、図表示手段３２は選択された精細度で全体パース図を作成し、図１２に示すようにパース図表示画面１００に全体パース図１０１を表示する。
【００３０】
また、工務店Ｂ社は、この全体パース図１０１では確認しづらい部分は、指定した範囲の部分パース図を確認することが可能となっている。図１３は指定範囲パースボタン９８をクリックしたときに表示される指定範囲パース設定画面９８Ａの例を示している。指定範囲パース設定画面９８Ａでは、部分パース図を作成する際の使用するレイヤの指定、上カットレベル・下カットレベルの指定および表示モードを設定することが可能となっている。そして、図９の伏図表示画面９０において伏図９１上で範囲指定を行うと、図表示手段３２はこの伏図９１上で指定された範囲の部分パース図を指定範囲パース設定画面９８Ａにおいて設定された内容にしたがって作成し、図１４に示すようにパース図表示画面１００に部分パース図１０２を表示する。
【００３１】
なお、図１２に示す全体パース図１０１および図１４に示す部分パース図１０２は通常パース表示であるが、図１５および図１６に示すようにリアル加工パース表示とすることも可能である。リアル加工パース表示では、パース図の各部がスケルトン表示となり、図１５に示すように仕口形状や金物の納まりも確認することが可能となる。また、本実施形態におけるＣＡＤデータ共有システムでは、プレカット工場Ａ社において設計したＣＡＤデータそのものをサーバ１へアップロードし、コンピュータ３へダウンロードしているため、図１６に示すように、金物工法物件の場合には、梁受金物、ホールダウンパイプ、ドリフトピン、ボルトなどの納まりも確認することが可能である。
【００３２】
以上のように、本実施形態におけるＣＡＤデータ共有システムでは、ＣＡＤデータを設計者以外の取引先、建築現場や工場等において共有して、伏図またはパース図により容易に確認することが可能となる。これにより、取引先においては、物件確認作業がしやすく、打合せを円滑に進めることが可能となる。また、建築現場や工場等においては、紙ベースの図面では確認しづらい納まりも、ＣＡＤデータに基づく伏図またはパース図により確認しながら作業ができるので、作業性が向上する。
【産業上の利用可能性】
【００３３】
本発明のＣＡＤデータ共有システムは、ＣＡＤデータを設計者の他、取引先、建築現場や工場等で共有して確認するシステムとして有用である。
【符号の説明】
【００３４】
１  サーバ
２，３  コンピュータ
１０  記憶手段
１１  保管場所通知手段
１２  データ提供手段
２０  データ作成手段
２１  記憶手段
２２  アップロード手段
３０  ダウンロード手段
３１  記憶手段
３２  図表示手段
【図１】
2020003901.tif 000003
【図２】
2020003901.tif 000004
【図３】
2020003901.tif 000005
【図４】
2020003901.tif 000006
【図５】
2020003901.tif 000007
【図６】
2020003901.tif 000008
【図７】
2020003901.tif 000009
【図８】
2020003901.tif 000010
【図９】
2020003901.tif 000011
【図１０】
2020003901.tif 000012
【図１１】
2020003901.tif 000013
【図１２】
2020003901.tif 000014
【図１３】
2020003901.tif 000015
【図１４】
2020003901.tif 000016
【図１５】
2020003901.tif 000017
【図１６】
2020003901.tif 000018